【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
マイクロニードルの反転型である針状凹部が複数形成されているモールドの前記針状凹部に充填された薬剤の容量を測定する測定方法において、
前記針状凹部内の前記薬剤を透過し且つ前記薬剤内を透過した距離に応じた分だけ前記薬剤により吸収されて前記薬剤から出射した測定波の強度を、前記針状凹部ごとに取得する測定波強度取得ステップと、
前記測定波強度取得ステップで取得した前記針状凹部ごとの前記測定波の強度に基づき、前記針状凹部ごとの前記容量を取得する容量取得ステップと、
を有する測定方法。
【請求項２】
前記測定波強度取得ステップでは、前記薬剤が水を含む場合、水に吸収される波長域の前記測定波の強度を、前記針状凹部ごとに取得する請求項１に記載の測定方法。
【請求項３】
前記容量取得ステップは、前記針状凹部ごとの前記薬剤の容量から前記モールドに充填された前記薬剤の容量の総量を取得する請求項１又は２に記載の測定方法。
【請求項４】
前記薬剤の容量は、前記薬剤に含まれる水の蒸発により時間の経過に応じて減少するものであり、
前記針状凹部内に前記薬剤を充填してから前記測定波強度取得ステップを開始するまでの経過時間を取得する経過時間取得ステップを有し、
前記容量取得ステップは、前記経過時間取得ステップで取得した前記経過時間に基づき、前記針状凹部ごとの前記薬剤の容量の時間の経過に応じた減少を補正して、前記針状凹部内に充填された前記薬剤の充填量を前記針状凹部ごとに取得する請求項１から３のいずれか１項に記載の測定方法。
【請求項５】
前記針状凹部内の前記薬剤の容量の時間の経過に応じた減少を補正する補正値を取得する補正値取得ステップを有し、
前記容量取得ステップは、前記経過時間取得ステップで取得した前記経過時間に基づき、前記針状凹部ごとの前記薬剤の容量を前記補正値取得ステップで取得した前記補正値で補正して、前記針状凹部ごとの前記薬剤の充填量を取得する請求項４に記載の測定方法。
【請求項６】
前記容量取得ステップで取得した取得結果の表示及び記憶部への記憶の少なくともいずれか一方を実行する取得結果処理ステップを有する請求項１から５のいずれか１項に記載の測定方法。
【請求項７】
前記測定波強度取得ステップは、
前記針状凹部内の前記薬剤を透過して前記薬剤から出射した前記測定波の強度を、前記針状凹部ごとに取得する第１の取得処理と、
前記薬剤とは異なる領域を透過した前記測定波の強度を取得する第２の取得処理と、
前記第１の取得処理で取得した前記針状凹部ごとの前記測定波の強度を、前記第２の取得処理で取得した前記測定波の強度で正規化する正規化処理と、を含み、
前記容量取得ステップは、前記正規化処理された前記針状凹部ごとの前記測定波の強度に基づき、前記針状凹部ごとの前記容量を取得する請求項１から６のいずれか１項に記載の測定方法。
【請求項８】
前記容量取得ステップは、前記測定波強度取得ステップで取得した針状凹部ごとの前記測定波の強度に基づき、前記測定波が前記針状凹部内の前記薬剤を透過した距離を前記針状凹部ごとに取得し、取得した前記針状凹部ごとの前記距離と、既知の前記針状凹部の形状とに基づき、前記針状凹部ごとの前記薬剤の容量を取得する請求項１から７のいずれか１項に記載の測定方法。
【請求項９】
前記容量取得ステップは、前記測定波強度取得ステップで取得した針状凹部ごとの前記測定波の強度に基づき、予め取得した前記測定波の強度と前記容量との対応関係を参照して、前記針状凹部ごとの前記薬剤の容量を取得する請求項１から７のいずれか１項に記載の測定方法。
【請求項１０】
前記測定波強度取得ステップでは、前記モールドの前記薬剤が充填される側の第１面とは反対側の第２面から前記モールド内に入射して前記薬剤の薬剤表面から出射した前記測定波の強度を前記針状凹部ごとに取得する処理を、前記測定波の波長域を変えながら繰り返し行い、
前記容量取得ステップは、
前記測定波強度取得ステップで前記波長域ごとに取得した取得結果から、前記薬剤表面の各位置よりそれぞれ出射した複数の前記波長域の前記測定波が前記薬剤内を透過した距離を、前記針状凹部ごとに検出する距離検出ステップと、
前記距離検出ステップの検出結果に基づき、前記針状凹部ごとの容量を演算する容量演算ステップと、を有する請求項１から７のいずれか１項に記載の測定方法。
【請求項１１】
前記測定波強度取得ステップは、前記測定波が光である場合、
前記第２面に対して前記測定波を入射する入射ステップと、
前記測定波の光路に、前記測定波の波長域を制限する複数のフィルタであって且つ制限する波長域が異なる複数のフィルタを交互に挿入して配置する配置ステップと、
前記複数のフィルタのいずれか及び前記薬剤を透過した前記測定波を撮像した撮像画像を、前記複数のフィルタごとに取得する撮像画像取得ステップと、
前記撮像画像取得ステップで取得した前記複数のフィルタごとの前記撮像画像を解析して、前記針状凹部ごとの前記測定波の強度を、前記複数のフィルタに対応する複数の前記波長域ごとに検出する画像解析ステップと、を含む請求項１０に記載の測定方法。
【請求項１２】
前記測定波が波長域の異なる第１測定波及び第２測定波である場合、
前記各位置における前記第１測定波の強度をＩλ１とし、前記各位置における前記第２測定波の強度をＩλ２とし、前記第１測定波の強度及び前記第２測定波の強度に影響するパラメータをＰとした場合、前記距離検出ステップは、前記各位置における前記距離Ｈを下記の式、
Ｈ＝ｆ［（Ｉλ１）、（Ｉλ２）、Ｐ］
を用いて求める請求項１０又は１１に記載の測定方法。
【請求項１３】
前記薬剤が水を含み且つ前記第１測定波及び前記第２測定波が光である場合、前記パラメータＰは、前記第１測定波に対応する水の光吸収係数αλ１と、前記第２測定波に対応する水の光吸収係数αλ２とを含み、
前記距離検出ステップは、前記各位置における前記距離Ｈを下記の式、
Ｈ＝ｆ［（Ｉλ１）、（Ｉλ２）、αλ１、αλ２］
を用いて求める請求項１２に記載の測定方法。
【請求項１４】
前記距離検出ステップは、前記各位置における前記距離Ｈを下記の式、
2016170164.tif 000001
を用いて求める請求項１３に記載の測定方法。
【請求項１５】
前記測定波が波長域の異なる第１測定波及び第２測定波である場合、
前記測定波強度取得ステップでは、前記第２面に入射する前記第１測定波及び前記第２測定波の各々の入射強度と、前記針状凹部ごとに前記薬剤表面の前記各位置から出射した前記第１測定波及び前記第２測定波の各々の出射強度とを取得し、
前記距離検出ステップは、前記測定波強度取得ステップの取得結果と、前記第１測定波に対応する水の光吸収係数αλ１と、前記第２測定波に対応する水の光吸収係数αλ２とに基づき、前記各位置における前記距離Ｈを下記の式、
2016170164.tif 000002
を用いて求める請求項１０又は１１に記載の測定方法。
【請求項１６】
前記測定波が波長域の異なる第１測定波及び第２測定波である場合、
前記距離検出ステップでは、前記各位置における前記第１測定波の強度と、前記各位置における前記第２測定波の強度との差分に基づき、前記各位置における前記距離を検出する請求項１０又は１１に記載の測定方法。
【請求項１７】
前記容量取得ステップは、前記測定波強度取得ステップで前記波長域ごとに取得した前記針状凹部ごとの前記測定波の強度に基づき、予め取得した前記波長域ごとの前記測定波の強度の少なくともいずれか１つと前記容量との対応関係を参照して、前記針状凹部ごとの前記薬剤の容量を取得する請求項１０又は１１に記載の測定方法。
【請求項１８】
前記測定波が波長域の異なる第１測定波及び第２測定波及び第３測定波である場合、
前記測定波強度取得ステップでは、前記第２面に入射する前記第１測定波及び前記第２測定波及び前記第３測定波の各々の入射強度と、前記針状凹部ごとに前記薬剤表面の前記各位置から出射した前記第１測定波及び前記第２測定波及び前記第３測定波の各々の出射強度とを取得し、
前記距離検出ステップは、前記測定波強度取得ステップの取得結果と、前記第１測定波に対応する水の光吸収係数αλ１と、前記第２測定波に対応する水の光吸収係数αλ２と、前記第３測定波に対応する水の光吸収係数αλ３とに基づき、前記各位置における前記距離Ｈを下記の式、
2016170164.tif 000003
を用いて求める請求項１０又は１１に記載の測定方法。
【請求項１９】
前記距離検出ステップの検出結果と既知の前記針状凹部の形状とに基づき、前記針状凹部ごとの前記薬剤表面の形状を検出する形状検出ステップを有する請求項１０から１８のいずれか１項に記載の測定方法。
【請求項２０】
前記測定波が光であり、且つ前記薬剤は、複数の特定の波長域の光を吸収し且つ前記特定の波長域ごとに光の吸収率が異なる水を含み、
前記測定波強度取得ステップでは、前記モールドの厚みに応じて、複数の前記特定の波長域の中から前記測定波の前記波長域を決定する請求項１から１９のいずれか１項に記載の測定方法。
【請求項２１】
前記測定波が光であり、且つ前記薬剤は、複数の特定の波長域の光を吸収し且つ前記特定の波長域ごとに光の吸収率が異なる水を含み、
前記測定波強度取得ステップでは、前記針状凹部内に充填された前記薬剤の充填量に応じて、複数の前記特定の波長域の中から前記測定波の前記波長域を決定する請求項１から２０のいずれか１項に記載の測定方法。
【請求項２２】
前記測定波が光であり、且つ前記薬剤は、複数の特定の波長域の光を吸収し且つ前記特定の波長域ごとに光の吸収率が異なる水を含み、
前記測定波強度取得ステップでは、前記モールドの前記薬剤が充填される側の第１面とは反対側の第２面側に設けた拡散板を介して拡散させた前記測定波を、前記第２面に入射させ、
前記第１面側に設けた撮像部により前記第１面から出射した前記測定波の強度を、前記針状凹部ごとに取得する、
請求項１から２１のいずれか１項に記載の測定方法。
【請求項２３】
マイクロニードルの反転型である針状凹部が複数形成されているモールドの前記針状凹部に充填された薬剤の容量を測定する測定装置において、
前記針状凹部内の前記薬剤を透過し且つ前記薬剤内を透過した距離に応じた分だけ前記薬剤により吸収されて前記薬剤から出射した測定波の強度を、前記針状凹部ごとに取得する測定波強度取得部と、
前記測定波強度取得部が取得した前記針状凹部ごとの前記測定波の強度に基づき、前記針状凹部ごとの前記容量を取得する容量取得部と、
を有する測定装置。
【請求項２４】
前記測定波が光であり、且つ前記薬剤は、複数の特定の波長域の光を吸収し且つ前記特定の波長域ごとに光の吸収率が異なる水を含み、
前記測定波強度取得部は、
前記モールドの前記薬剤が充填される側の第１面とは反対側の第２面側に設けた拡散板と、前記第１面側に設けた撮像部とを有し、
前記拡散板を介して拡散されて前記第１面に入射し、前記針状凹部内の前記薬剤を透過し且つ前記薬剤内を透過した距離に応じた分だけ前記薬剤により吸収されて前記第２面から出射した測定波の強度を、前記撮像部により前記針状凹部ごとに取得する、
請求項２３に記載の測定装置。
【請求項２５】
マイクロニードルの反転型である針状凹部が複数形成されているモールドの前記針状凹部に充填された薬剤の容量を測定する手段としてコンピュータを機能させるプログラムであって、
コンピュータを、
前記針状凹部内の前記薬剤を透過し且つ前記薬剤内を透過した距離に応じた分だけ前記薬剤により吸収されて前記薬剤から出射した測定波の強度を取得する取得部から、前記針状凹部ごとの前記測定波の強度を取得する測定波強度取得部と、
前記測定波強度取得部が取得した前記針状凹部ごとの前記測定波の強度に基づき、前記針状凹部ごとの前記容量を取得する容量取得部として機能させるためのプログラム。
【手続補正２】
【補正対象書類名】明細書
【補正対象項目名】００３４
【補正方法】変更
【補正の内容】
【００３４】
本発明の他の態様に係る測定方法において、測定波が光であり、且つ薬剤は、複数の特定の波長域の光を吸収し且つ特定の波長域ごとに光の吸収率が異なる水を含み、測定波強度取得ステップでは、針状凹部内に充填された薬剤の充填量に応じて、複数の特定の波長域の中から測定波の波長域を決定する。これにより、薬剤の充填量に適した測定波の波長域を決定することができる。
本発明の他の態様に係る測定方法において、測定波が光であり、且つ薬剤は、複数の特定の波長域の光を吸収し且つ特定の波長域ごとに光の吸収率が異なる水を含み、測定波強度取得ステップでは、モールドの薬剤が充填される側の第１面とは反対側の第２面側に設けた拡散板を介して拡散させた測定波を、第２面に入射させ、第１面側に設けた撮像部により第１面から出射した測定波の強度を、針状凹部ごとに取得することが好ましい。
【手続補正３】
【補正対象書類名】明細書
【補正対象項目名】００３５
【補正方法】変更
【補正の内容】
【００３５】
本発明の目的を達成するための測定装置は、マイクロニードルの反転型である針状凹部が複数形成されているモールドの針状凹部に充填された薬剤の容量を測定する測定装置において、針状凹部内の薬剤を透過し且つ薬剤内を透過した距離に応じた分だけ薬剤により吸収されて薬剤から出射した測定波の強度を、針状凹部ごとに取得する測定波強度取得部と、測定波強度取得部が取得した針状凹部ごとの測定波の強度に基づき、針状凹部ごとの容量を取得する容量取得部と、を有する。
本発明の他の態様に係る測定装置において、測定波が光であり、且つ薬剤は、複数の特定の波長域の光を吸収し且つ特定の波長域ごとに光の吸収率が異なる水を含み、測定波強度取得部は、モールドの薬剤が充填される側の第１面とは反対側の第２面側に設けた拡散板と、第１面側に設けた撮像部とを有し、拡散板を介して拡散されて第１面に入射し、針状凹部内の薬剤を透過し且つ薬剤内を透過した距離に応じた分だけ薬剤により吸収されて第２面から出射した測定波の強度を、撮像部により針状凹部ごとに取得することが好ましい。